(57)【要約】【課題】過大なヒータの出力を持たせなくてもトイレ使用時に瞬時に高温の輻射暖房面を露出させて暖房できるトイレの輻射暖房装置を提供する。【解決手段】トイレ室１の壁面２に便器３の方向に向けて熱を輻射する輻射暖房面４を設ける。輻射暖房面４の上方にタオル掛けバー５を架設する。タオル掛けバー５を下降させた状態でタオル掛けバー５に掛けたタオル６で輻射暖房面４を覆い且つタオル掛けバー５を上昇させた状態で上記タオル６が輻射暖房面４の上方に離れるようにタオル掛けバー５を上下に昇降自在にする。【選択図】　　　　図１
2004024522.tif 000002
【特許請求の範囲】
【請求項１】
トイレ室の壁面に便器の方向に向けて熱を輻射する輻射暖房面を設け、輻射暖房面の上方にタオル掛けバーを架設し、タオル掛けバーを下降させた状態でタオル掛けバーに掛けたタオルで輻射暖房面を覆い且つタオル掛けバーを上昇させた状態で上記タオルが輻射暖房面の上方に離れるようにタオル掛けバーを上下に昇降自在にして成ることを特徴とするトイレの輻射暖房装置。
【請求項２】
輻射暖房面に近接する位置とそれより室内側に離れた位置とに２本のタオル掛けバーを平行に架設したことを特徴とする請求項１記載のトイレの輻射暖房装置。
【請求項３】
輻射暖房面に近接する位置とそれより室内側に離れた位置とに３本のタオル掛けバーを平行に架設したことを特徴とする請求項１記載のトイレの輻射暖房装置。
【発明の詳細な説明】
【０００１】
【発明の属する技術分野】
本発明はトイレを使用するとき使用者に熱を輻射して暖房するトイレの輻射暖房装置に関するものである。
【０００２】
【従来の技術及び発明が解決しようとする課題】
一般にトイレ室内を暖房する場合、電気パネルヒータを壁面に装着して電気パネルヒータの輻射暖房面からトイレ室内に熱を輻射し、トレイ室内の全体の雰囲気温度を上げるようにしている。ところが、トイレの暖房は入室して直ぐに暖まらなければならないといけないので、入室したときだけ暖房する間欠運転では十分な暖房の立ち上がりが得られず、在室時間が非常に短いにも拘わらず、連続暖房を行ってしまっているのが現状である。
【０００３】
しかしながら、上記のように連続暖房すると、電気代が非常に高くなってしまうという問題がある。例えば、厳寒月（外気温５℃程度）において、通常の広さ（１畳の広さ）のトレイの室温を１８〜２０℃に保持するための必要なワット数は２５０Ｗ程度である。これで１箇月の間連続運転すると、
２５０Ｗ×２４ｈ／日×３０日／月×２３円／ｋＷｈ（１ｋＷ当りの電気代）＝４，１４０円／月
となる。
【０００４】
快適性を損なわずに省エネルギー化を図って電気代を低減するものとして次のものも考えられる。つまり、通常、室温が低めの温度（１３〜１５℃程度）に電気パネルヒータを制御し、人が入室したときヒータの出力を上げ、輻射暖房面から熱を強く輻射して使用者に当てることにより暖房するようになっている。
【０００５】
ところが、ヒータの出力を急に上げても輻射暖房面には熱容量があるために輻射暖房面の温度が直ぐには高温にならず、直ぐには快適な暖房ができないという問題があり、また輻射暖房面の温度できるだけ早く高くするためには過大なヒータ出力を持たせなければならない。
【０００６】
本発明は叙述の点に鑑みてなされたものであって、過大なヒータの出力を持たせなくてもトイレ使用時に瞬時に高温の輻射暖房面を露出させて暖房できるトイレの輻射暖房装置を提供するにある。
【０００７】
【課題を解決するための手段】
上記課題を解決するための本発明のトイレの輻射暖房装置は、トイレ室１の壁面２に便器３の方向に向けて熱を輻射する輻射暖房面４を設け、輻射暖房面４の上方にタオル掛けバー５を架設し、タオル掛けバー５を下降させた状態でタオル掛けバー５に掛けたタオル６で輻射暖房面４を覆い且つタオル掛けバー５を上昇させた状態で上記タオル６が輻射暖房面４の上方に離れるようにタオル掛けバー５を上下に昇降自在にして成ることを特徴とする。トイレを使用しないときはタオル掛けバー５にタオル６を掛け、タオル掛けバー５を下降させておくと、輻射暖房面４がタオル６で覆われているために輻射暖房面４の放熱が妨げられるので輻射暖房面４の表面温度が上昇して輻射暖房面４の温度が高温になる。このとき、輻射暖房面４からの放熱が少なくてヒータの出力が小さくてよく、省エネルギー化が図れて電気代を節約でき、またこのときタオル６の乾燥ができる。トイレを使用するときはタオル掛けバー５を上昇させて輻射暖房面４を露出させると、高温の輻射暖房面４が露出し、瞬時に高温の輻射暖房面４から高温の熱が輻射されて使用者に当てられ、快適に暖房できる。
【０００８】
また輻射暖房面４に近接する位置とそれより室内側に離れた位置とに２本のタオル掛けバー５を平行に架設したことを特徴とすることも好ましい。また輻射暖房面４に近接する位置とそれより室内側に離れた位置とに３本のタオル掛けバー５を平行に架設したことを特徴とすることも好ましい。
【０００９】
【発明の実施の形態】
図１、図２に示すようにトイレ室１の床面８には便器３が設置してあり、便器３にはロータンクのような給水タンク１２を付設してある。トレイ室１の壁面２には偏平な盤状の暖房装置Ａを装着してあり、この暖房装置Ａの下半分の部分には電気パネルヒータ９を装着してあり、電気パネルヒータ９の輻射暖房面４をトレイ室１内に向けて露出させてある。暖房装置Ａの上半分の部分の両側には上下方向に長い移動用溝１０を設けてあり、壁面２と平行になるように水平に架設したタオル掛けバー５の両端の近傍に連結した支持部１１を移動用溝１０に上下にスライド自在に装着してあり、これによりタオル掛けバー５が上下に昇降自在にしてある。このタオル掛けバー５には二つ折りしたタオル６を掛けて垂らすことができるようになっている。
【００１０】
トイレを使用しないときは、図１に示すようにタオル掛けバー５にタオル６を掛けた状態でタオル掛けバー５が下降させられており、タオル６で輻射暖房面４が覆われている。電気パネルヒータ９には常に通電されていて輻射暖房面４から熱が輻射されているが、輻射暖房面４がタオル６で覆われているために放熱の熱抵抗が大きくなり、放熱が妨げられて輻射暖房面４の表面温度が上昇して輻射暖房面４が高温に保たれる。このとき放熱が抑えられるために常に電気パネルヒータ９に通電していても輻射暖房面４が所定の高温以上の温度にならないように制御することで省エネルギー化が図れて電気代を節約できる。このとき、タオル６に熱を輻射することでタオル６を乾燥することもできる。またこのときタオル６で輻射暖房面４が覆われて放熱が妨げられていても多少の放熱があり、トイレ室１内は低めの温度に保持される。
【００１１】
トイレを使用するためにトイレ室１に入室したとき、図２に示すようにタオル掛けバー５が上昇させられ、タオル６で輻射暖房面４が覆われないように輻射暖房面４が露出させられる。すると、高温に維持されている輻射暖房面４が露出させられ、高温の輻射暖房面４から便座３近傍の使用者に即座に熱が強く輻射され、使用者が暖かさを感じるように暖房される。
【００１２】
タオル掛けバー５を昇降させるとき、手動で動作されても、モータ等の動力で動作させてもよい。またモータ等の動力で動作させるとき、人体センサー等で利用を検知して自動で動作させるようにしてもよい。またタオル掛けバー５を上昇させて輻射暖房面４を露出させたとき、輻射暖房面４は高温であるが、放熱が促進されて輻射暖房面４の温度が低下するが、このとき、電気パネルヒータ９の出力を強運転に切り換えるか、鉄板や蓄熱材を輻射暖房面４に貼り付けて熱容量を増やすなどして表面温度の低下を防ぐことが好ましい。
【００１３】
また図３に示すようにタオル掛けバー５を架設するとき、輻射暖房面４に近接したタオル掛けバー５とこれより室内側に離れたタオル掛けバー５とを平行に架設してもよい。ここで、便宜上、２本のタオル掛けバー５のうち、輻射暖房面４に近い方をタオル掛けバー５ａとし、室内側をタオル掛けバー５ｂとする。そしてタオル６を掛けるとき、タオル６の二つ折りした折り返し部６ａをタオル掛けバー５ａに掛け、折り返し部６ａを境にしたタオル６の両片６ｂ，６ｃを重ねてタオル掛けバー５ｂに掛け回しする。すると、輻射暖房面４とタオル６との間に上面を閉塞した空気層Ｓが形成され、暖まった空気が対流しにくいので熱抵抗が大きくなり、トイレを使用しないとき輻射暖房面４からの放熱が少なくなる。
【００１４】
また図４に示すようにタオル掛けバー５を架設するとき輻射暖房面４に近接する位置とそれより室内側に離れた位置とに３本のタオル掛けバー５を平行に架設してもよい。ここで、便宜上、３本のタオル掛けバー５を輻射暖房面４から室内側に向けて順にタオル掛けバー５ａ、タオル掛けバー５ｂ、タオル掛けバー５ｃとする。そしてタオル６を掛けるとき、タオル６の二つ折りした折り返し部６ａをタオル掛けバー５ａに掛け、折り返し部６ａを境にしたタオル６の一片６ｂをタオル掛けバー５ｂに掛け回しすると共に他片６ｃをタオル掛けバー５ｃに５ｂに掛け回しする。すると、輻射暖房面４とタオル６との間に上面を閉塞した２層の空気層Ｓ１，Ｓ２が形成され、２層の空気層Ｓ１，Ｓ２で熱抵抗が大きくなり、トイレを使用しないとき輻射暖房面４からの放熱が少なくなる。
【００１５】
【発明の効果】
本発明は叙述の如くトイレ室の壁面に便器の方向に向けて熱を輻射する輻射暖房面を設け、輻射暖房面の上方にタオル掛けバーを架設し、タオル掛けバーを下降させた状態でタオル掛けバーに掛けたタオルで輻射暖房面を覆い且つタオル掛けバーを上昇させた状態で上記タオルが輻射暖房面の上方に離れるようにタオル掛けバーを上下に昇降自在にしているので、トイレを使用しないときはタオル掛けバーにタオルを掛け、タオル掛けバーを下降させておくと、輻射暖房面がタオルで覆われているために輻射暖房面の放熱が妨げられ、輻射暖房面の表面温度が上昇して輻射暖房面の温度が高温になるものであり、このとき、輻射暖房面からの放熱が少なくてヒータの出力が小さくてよく、省エネルギー化が図れて電気代を節約でき、またこのときタオルの乾燥ができるものであり、またトイレを使用するときはタオル掛けバーを上昇させて輻射暖房面を露出させると、高温の輻射暖房面が露出し、瞬時に高温の輻射暖房面から高温の熱が輻射されて使用者に当てられ、快適に暖房できるものである。
【００１６】
また輻射暖房面に近接する位置とそれより室内側に離れた位置とに２本のタオル掛けバーを平行に架設してあると、図３に示すようにタオルを掛けて上面を閉塞する空気層を形成して熱抵抗を大きくでき、トイレを使用しないときの輻射暖房面からの放熱を抑えることができる。
【００１７】
また輻射暖房面に近接する位置とそれより室内側に離れた位置とに３本のタオル掛けバーを平行に架設すると、図４に示すようにタオルを掛けて２層の空気層を形成して熱抵抗を大きくでき、トイレを使用しないときの輻射暖房面からの放熱を一層抑えることができる。
【図面の簡単な説明】
【図１】本発明の実施の形態の一例のトイレを使用しないときの状態の斜視図である。
【図２】同上のトイレを使用するときの状態の斜視図である。
【図３】同上の他の例のタオルを掛けた状態の断面図である。
【図４】同上の他の例のタオルを掛けた状態の断面図である。
【符号の説明】
１　トイレ室
２　壁面
３　便器
４　輻射暖房面
５　タオル掛けバー
６　タオル
【図１】
2004024522.tif 000003
【図２】
2004024522.tif 000004
【図３】
2004024522.tif 000005
【図４】
2004024522.tif 000006